(57)【要約】【課題】  ユーザが録画を希望するコンテンツを的確に録画する。【解決手段】  ハードディスクレコーダ１０は、外部端子と、メモリ２８と、ＯＳＤ５０と、映像出力部３０と、リモコン受信部３４と、制御部３６と、チューナ２４と、ＨＤ装置２２とを含む。メモリ２８は、予約と、過去に受付けた予約と、予約の予備群とを記憶する。ＯＳＤ５０は、予約の有無と予備群とを表わす画像の情報を作成する。映像出力部３０は、ＯＳＤ５０が作成した情報を出力する。制御部３６は、予約を受付けた場合、予約が予備群と矛盾するか否かを判断し、予約が予備群と矛盾する場合、予約と予備群とのうちどちらかの指定を受付けるように、リモコン受信部３４を制御し、受付けた指定に従って予約を更新し、時刻を検出する。チューナ２４は、外部端子が受付けた放送信号のいずれかを選局する。ＨＤ装置２２は、チューナ２４が選局した放送を録画する。【選択図】        図１
2006345167.tif 000002
【特許請求の範囲】
【請求項１】
放送信号を受付けるための第１の受付手段と、
録画の予約を表わす情報と、過去に受けた予約を表わす情報と、前記過去に受けた予約のいずれかに対応しかつ予約の候補を表わす情報とを記憶するための記憶手段と、
録画の予約の有無と前記予約の候補とをそれぞれ異なる色で表わす画像の情報を作成するための作成手段と、
前記作成手段が作成した情報を出力するための出力手段と、
ユーザの指定を受付けるための第２の受付手段と、
前記第２の受付手段が受付けた指定が録画の予約についての指定の場合、前記録画の予約が予約の候補と矛盾するか否かを判断するための判断手段と、
前記録画の予約が予約の候補と矛盾する場合、前記録画の予約と予約の候補とのうちどちらかを表わす指定を受付けるように、前記第２の受付手段を制御するための制御手段と、
前記録画の予約が予約の候補と矛盾する場合は、前記録画の予約と予約の候補とのうちどちらかを表わす指定に従い、前記録画の予約を表わす情報を更新するための更新手段と、
時刻を検出するための検出手段と、
前記記憶手段が記憶した録画の予約を表わす情報および検出手段が検出した時刻に基づいて、前記第１の受付手段が受付けた放送信号のいずれかを選局するための選局手段と、
前記選局手段が選局した放送を録画するための録画手段とを含む、録画装置。
【請求項２】
放送信号を受付けるための第１の受付手段と、
録画の予約を表わす情報と、過去に受けた予約を表わす情報と、前記過去に受けた予約のいずれかに対応しかつ予約の候補を表わす情報とを記憶するための記憶手段と、
録画の予約の有無と前記予約の候補とを表わす情報を作成するための作成手段と、
前記作成手段が作成した情報を出力するための出力手段と、
ユーザの指定を受付けるための第２の受付手段と、
前記第２の受付手段が受付けた指定が録画の予約についての指定の場合、前記録画の予約が予約の候補と矛盾するか否かを判断するための判断手段と、
前記録画の予約が予約の候補と矛盾する場合、前記録画の予約と予約の候補とのうちどちらかを表わす指定を受付けるように、前記第２の受付手段を制御するための制御手段と、
前記録画の予約が予約の候補と矛盾する場合は、前記録画の予約と予約の候補とのうちどちらかを表わす指定に従い、前記録画の予約を表わす情報を更新するための更新手段と、
時刻を検出するための検出手段と、
前記記憶手段が記憶した録画の予約を表わす情報および検出手段が検出した時刻に基づいて、前記第１の受付手段が受付けた放送信号のいずれかを選局するための選局手段と、
前記選局手段が選局した放送を録画するための録画手段とを含む、録画装置。
【請求項３】
前記作成手段は、録画の予約の有無と前記予約の候補とをそれぞれ異なる形態で表わす画像の情報を作成するための手段を含む、請求項２に記載の録画装置。
【請求項４】
前記画像の情報を作成するための手段は、録画の予約の有無と前記予約の候補とをそれぞれ異なる色で表わす画像の情報を作成するための手段を含む、請求項３に記載の録画装置。
【請求項５】
前記更新手段は、前記録画の予約が予約の候補と矛盾する場合は前記録画の予約と予約の候補とのうちどちらかを表わす指定に従い、前記録画の予約が予約の候補と矛盾する場合以外の場合は前記録画の予約に従い、前記録画の予約を表わす情報を更新するための手段を含む、請求項２に記載の録画装置。
【請求項６】
放送信号を受付けるための受付手段と、
前記受付手段が受付けた放送信号のいずれかを選局するための選局手段と、
前記選局手段が選局した放送を録画するための録画手段とを含むコンピュータに実行させるための録画プログラムであって、
放送信号を受付ける第１の受付ステップと、
録画の予約を表わす情報と、過去に受けた予約を表わす情報と、前記過去に受けた予約のいずれかに対応しかつ予約の候補を表わす情報とを記憶する記憶ステップと、
録画の予約の有無と前記予約の候補とを表わす情報を作成する作成ステップと、
前記作成ステップにおいて作成した情報を出力する出力ステップと、
ユーザの指定を受付ける第２の受付ステップと、
前記第２の受付ステップにおいて受付けた指定が録画の予約についての指定の場合、前記録画の予約が予約の候補と矛盾するか否かを判断する判断ステップと、
前記録画の予約が予約の候補と矛盾する場合、前記録画の予約と予約の候補とのうちどちらかを表わす指定を受付けるように、前記第２の受付ステップを制御する制御ステップと、
前記録画の予約が予約の候補と矛盾する場合は、前記録画の予約と予約の候補とのうちどちらかを表わす指定に従い、前記録画の予約を表わす情報を更新する更新ステップと、
時刻を検出する検出ステップと、
前記記憶ステップにおいて記憶した録画の予約を表わす情報および検出ステップにおいて検出した時刻に基づいて、前記第１の受付ステップにおいて受付た放送信号のいずれかを選局する選局ステップと、
前記選局ステップにおいて選局した放送を録画する録画ステップとを含む各ステップをコンピュータに実行させるための録画プログラム。
【請求項７】
放送信号を受付けるための受付手段と、
前記受付手段が受付けた放送信号のいずれかを選局するための選局手段と、
前記選局手段が選局した放送を録画するための録画手段とを含むコンピュータに実行させるための録画プログラムを記録したコンピュータ読取り可能な記録媒体であって、
放送信号を受付ける第１の受付ステップと、
録画の予約を表わす情報と、過去に受けた予約を表わす情報と、前記過去に受けた予約のいずれかに対応しかつ予約の候補を表わす情報とを記憶する記憶ステップと、
録画の予約の有無と前記予約の候補とを表わす情報を作成する作成ステップと、
前記作成ステップにおいて作成した情報を出力する出力ステップと、
ユーザの指定を受付ける第２の受付ステップと、
前記第２の受付ステップにおいて受付けた指定が録画の予約についての指定の場合、前記録画の予約が予約の候補と矛盾するか否かを判断する判断ステップと、
前記録画の予約が予約の候補と矛盾する場合、前記録画の予約と予約の候補とのうちどちらかを表わす指定を受付けるように、前記第２の受付ステップを制御する制御ステップと、
前記録画の予約が予約の候補と矛盾する場合は、前記録画の予約と予約の候補とのうちどちらかを表わす指定に従い、前記録画の予約を表わす情報を更新する更新ステップと、
時刻を検出する検出ステップと、
前記記憶ステップにおいて記憶した録画の予約を表わす情報および検出ステップにおいて検出した時刻に基づいて、前記第１の受付ステップにおいて受付た放送信号のいずれかを選局する選局ステップと、
前記選局ステップにおいて選局した放送を録画する録画ステップとを含む各ステップをコンピュータに実行させるための録画プログラムを記録したコンピュータ読取り可能な記録媒体。
【発明の詳細な説明】
【技術分野】
【０００１】
本発明は、録画装置、録画プログラム、および録画プログラムを記録したコンピュータ読取り可能な記録媒体に関し、特に、テレビジョン信号を用いた録画を実施する録画装置、録画プログラム、および録画プログラムを記録したコンピュータ読取り可能な記録媒体に関する。
【背景技術】
【０００２】
特許文献１は、放送番組の日付、曜日、チャンネル、開始時刻、終了時刻、および記録媒体の記録モードなどの予約記録情報を入力して番組予約記録する機能と、既存の予約記録情報の履歴を基に新たな番組の予約記録する機能とを有し、いずれかの予約記録機能を選択して、予約記録する番組の情報を入力するリモコン受光部と、リモコン受光部から入力された予約記録情報を記憶する録画情報記憶部と、録画情報記憶部に記憶された予約記録情報と現在日時とを比較して、予約記録情報と現在日時が一致した際に予約した放送番組を記録する記録装置と、リモコン受光部で既存の予約記録情報の履歴を基に放送番組の予約記録する機能が選択された際に、録画情報記憶部に記憶されている既存の予約記録情報を読出し制御する制御ＣＰＵ（Central Processing Unit）と、制御ＣＰＵで読出し制御された複数の既存の予約記録情報を画面表示信号に変換するＯＳＤ（On Screen Display）信号作成部と、ＯＳＤ信号作成部で作成された画面表示信号を基に既存の予約記録情報の履歴画面を表示するテレビ受像機とを具備し、ＯＳＤ信号作成部で作成された画面表示信号のもとでテレビ受像機に表示された予約記録情報の履歴画面の中から所望の番組の予約記録情報を選択し、その選択した予約記録情報を基に日付、曜日、チャンネル、開始時刻、終了時刻、または記録媒体記録モードのいずれか一種類または複数をリモコン受光部で変更設定して新たな放送番組を予約記録することを特徴とする予約記録装置を開示する。特許文献１に開示された発明によると、簡易な操作により、確実に予約を設定できる。
【０００３】
特許文献２は、ユーザの視聴傾向に基づいて放送番組の録画予約支援を行う録画再生装置であって、記録メディアに対して放送番組の内容を記録する録画装置と、放送番組に関する情報であって視聴に影響を与える複数の番組要素を放送番組毎に記憶した番組情報データベースと、ユーザが日常、視聴および予約している放送番組に関するデータを記憶した視聴予約履歴データベースと、ユーザのスケジュールを入力してスケジュールデータベースに登録するスケジュール入力装置と、番組情報データベースおよび視聴予約履歴データベースに記憶された情報を参照し、スケジュールデータベースに登録されたスケジュール期間に放送予定の放送番組の中からユーザの視聴傾向に基づいた放送番組を抽出する番組抽出装置と、番組抽出装置により抽出された放送番組をユーザに提示する抽出結果表示装置と、ユーザに提示された放送番組の予約をユーザに確認する予約確認装置とを備えた録画再生装置を開示する。特許文献２に開示された発明によると、ユーザがスケジュールを入力するだけで、多数の番組の中からユーザが所望する番組を予約することができる。
【０００４】
特許文献３は、予約設定された録画予約データを格納する予約データ格納部と、録画が実行された録画予約データを格納する予約履歴格納部と、現在の月日および時刻および曜日データを出力する時計部とを有し、予約履歴格納部の録画予約データの曜日データと時計部の曜日データを比較し、当該録画予約データの月日データを変更し、予約データ格納部に格納することを特徴とするタイマー予約装置を開示する。
【０００５】
特許文献３に開示された発明によると、ＶＴＲ（Video Tape Recorder）などの録画予約を行う際に、ユーザが煩わしい操作をすることなく、番組の録画を予約できる。
【特許文献１】特開２００１−２５６６９３号公報
【特許文献２】特開２００４−３６３６８９号公報
【特許文献３】特開平９−２６５６８５号公報
【発明の開示】
【発明が解決しようとする課題】
【０００６】
しかしながら、特許文献１〜特許文献３に開示された発明では、予約時のユーザの失念により、ユーザが最も録画したかったコンテンツの録画ができなくなる可能性が高いという問題点がある。
【０００７】
本発明は上述の問題点を解決するためになされたものであって、その目的は、ユーザが録画を希望するコンテンツを的確に録画する録画装置、録画プログラム、および録画プログラムを記録したコンピュータ読取り可能な記録媒体を提供することにある。
【課題を解決するための手段】
【０００８】
上記目的を達成するために、本発明のある局面に従うと、録画装置は、第１の受付手段と、記憶手段と、作成手段と、出力手段と、第２の受付手段と、判断手段と、制御手段と、更新手段と、検出手段と、選局手段と、録画手段とを含む。第１の受付手段は、放送信号を受付ける。記憶手段は、録画の予約を表わす情報と、過去に受けた予約を表わす情報と、過去に受けた予約のいずれかに対応しかつ予約の候補を表わす情報とを記憶する。作成手段は、録画の予約の有無と予約の候補とをそれぞれ異なる色で表わす画像の情報を作成する。出力手段は、作成手段が作成した情報を出力する。第２の受付手段は、ユーザの指定を受付ける。判断手段は、第２の受付手段が受付けた指定が録画の予約についての指定の場合、録画の予約が予約の候補と矛盾するか否かを判断する。制御手段は、録画の予約が予約の候補と矛盾する場合、録画の予約と予約の候補とのうちどちらかを表わす指定を受付けるように、第２の受付手段を制御する。更新手段は、録画の予約が予約の候補と矛盾する場合は、録画の予約と予約の候補とのうちどちらかを表わす指定に従い、録画の予約を表わす情報を更新する。検出手段は、時刻を検出する。選局手段は、記憶手段が記憶した録画の予約を表わす情報および検出手段が検出した時刻に基づいて、第１の受付手段が受付けた放送信号のいずれかを選局する。録画手段は、選局手段が選局した放送を録画する。
【０００９】
本発明の他の局面に従うと、録画装置は、第１の受付手段と、記憶手段と、作成手段と、出力手段と、第２の受付手段と、判断手段と、制御手段と、更新手段と、検出手段と、選局手段と、録画手段とを含む。第１の受付手段は、放送信号を受付ける。記憶手段は、録画の予約を表わす情報と、過去に受けた予約を表わす情報と、過去に受けた予約のいずれかに対応しかつ予約の候補を表わす情報とを記憶する。作成手段は、録画の予約の有無と予約の候補とを表わす情報を作成する。出力手段は、作成手段が作成した情報を出力する。第２の受付手段は、ユーザの指定を受付ける。判断手段は、第２の受付手段が受付けた指定が録画の予約についての指定の場合、録画の予約が予約の候補と矛盾するか否かを判断する。制御手段は、録画の予約が予約の候補と矛盾する場合、録画の予約と予約の候補とのうちどちらかを表わす指定を受付けるように、第２の受付手段を制御する。更新手段は、録画の予約が予約の候補と矛盾する場合は、録画の予約と予約の候補とのうちどちらかを表わす指定に従い、録画の予約を表わす情報を更新する。検出手段は、時刻を検出する。選局手段は、記憶手段が記憶した録画の予約を表わす情報および検出手段が検出した時刻に基づいて、第１の受付手段が受付けた放送信号のいずれかを選局する。録画手段は、選局手段が選局した放送を録画する。
【００１０】
また、上述の作成手段は、録画の予約の有無と予約の候補とをそれぞれ異なる形態で表わす画像の情報を作成するための手段を含むことが望ましい。
【００１１】
また、上述の画像の情報を作成するための手段は、録画の予約の有無と予約の候補とをそれぞれ異なる色で表わす画像の情報を作成するための手段を含むことが望ましい。
【００１２】
また、上述の更新手段は、録画の予約が予約の候補と矛盾する場合は録画の予約と予約の候補とのうちどちらかを表わす指定に従い、録画の予約が予約の候補と矛盾する場合以外の場合は録画の予約に従い、録画の予約を表わす情報を更新するための手段を含むことが望ましい。
【００１３】
本発明の他の局面に従うと、録画プログラムは、放送信号を受付けるための受付手段と、受付手段が受付けた放送信号のいずれかを選局するための選局手段と、選局手段が選局した放送を録画するための録画手段とを含むコンピュータに実行させるためのプログラムである。録画プログラムは、第１の受付ステップと、記憶ステップと、作成ステップと、出力ステップと、第２の受付ステップと、判断ステップと、制御ステップと、更新ステップと、検出ステップと、選局ステップと、録画ステップとを含む各ステップをコンピュータに実行させる。第１の受付ステップは、放送信号を受付ける。記憶ステップは、録画の予約を表わす情報と、過去に受けた予約を表わす情報と、過去に受けた予約のいずれかに対応しかつ予約の候補を表わす情報とを記憶する。作成ステップは、録画の予約の有無と予約の候補とを表わす情報を作成する。出力ステップは、作成ステップにおいて作成した情報を出力する。第２の受付ステップは、ユーザの指定を受付ける。判断ステップは、第２の受付ステップにおいて受付けた指定が録画の予約についての指定の場合、録画の予約が予約の候補と矛盾するか否かを判断する。制御ステップは、録画の予約が予約の候補と矛盾する場合、録画の予約と予約の候補とのうちどちらかを表わす指定を受付けるように、第２の受付ステップを制御する。更新ステップは、録画の予約が予約の候補と矛盾する場合は、録画の予約と予約の候補とのうちどちらかを表わす指定に従い、録画の予約を表わす情報を更新する。検出ステップは、時刻を検出する。選局ステップは、記憶ステップにおいて記憶した録画の予約を表わす情報および検出ステップにおいて検出した時刻に基づいて、第１の受付ステップにおいて受付た放送信号のいずれかを選局する。録画ステップは、選局ステップにおいて選局した放送を録画する。
【００１４】
本発明の他の局面に従うと、記録媒体は、放送信号を受付けるための受付手段と、受付手段が受付けた放送信号のいずれかを選局するための選局手段と、選局手段が選局した放送を録画するための録画手段とを含むコンピュータに実行させるための録画プログラムを記録したコンピュータ読取り可能な記録媒体である。記録媒体は、第１の受付ステップと、記憶ステップと、作成ステップと、出力ステップと、第２の受付ステップと、判断ステップと、制御ステップと、更新ステップと、検出ステップと、選局ステップと、録画ステップとを含む各ステップをコンピュータに実行させるための録画プログラムを記録する。第１の受付ステップは、放送信号を受付ける。記憶ステップは、録画の予約を表わす情報と、過去に受けた予約を表わす情報と、過去に受けた予約のいずれかに対応しかつ予約の候補を表わす情報とを記憶する。作成ステップは、録画の予約の有無と予約の候補とを表わす情報を作成する。出力ステップは、作成ステップにおいて作成した情報を出力する。第２の受付ステップは、ユーザの指定を受付ける。判断ステップは、第２の受付ステップにおいて受付けた指定が録画の予約についての指定の場合、録画の予約が予約の候補と矛盾するか否かを判断する。制御ステップは、録画の予約が予約の候補と矛盾する場合、録画の予約と予約の候補とのうちどちらかを表わす指定を受付けるように、第２の受付ステップを制御する。更新ステップは、録画の予約が予約の候補と矛盾する場合は、録画の予約と予約の候補とのうちどちらかを表わす指定に従い、録画の予約を表わす情報を更新する。検出ステップは、時刻を検出する。選局ステップは、記憶ステップにおいて記憶した録画の予約を表わす情報および検出ステップにおいて検出した時刻に基づいて、第１の受付ステップにおいて受付た放送信号のいずれかを選局する。録画ステップは、選局ステップにおいて選局した放送を録画する。
【発明の効果】
【００１５】
本発明に係る録画装置、録画プログラム、および録画プログラムを記録したコンピュータ読取り可能な記録媒体は、ユーザが録画を希望するコンテンツを的確に録画できる。
【発明を実施するための最良の形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
図１のハードディスクレコーダ１０は、２種類のデジタル記録メディア再生装置を内蔵し、記録メディアから再生されたコンテンツなど供給される各種コンテンツを、装置外部に予め接続されたモニタ装置１４に映像信号または音声信号として視聴可能なように出力する装置である。リモコン（リモートコントローラの略）１２は、ユーザが各種の指令を入力するために操作される装置であり、その指令に対応する赤外線信号を発信する。
【００１８】
ハードディスクレコーダ１０は、ＤＶＤ（Digital Versatile Disc）ドライブ２０と、ＨＤ（Hard Disk）装置２２と、外部端子４０を介して、放送局から送信されるデジタル放送信号を受信する外部のアンテナ６０を接続するチューナ２４と、ＯＳＤ５０を内蔵するＭＰＥＧ（Motion Picture Experts Group）コーデックエンジン２６と、メモリ２８と、映像出力部３０と、音声出力部３２と、リモコン受信部３４と、制御部３６と、外部からデジタル情報を供給するための外部装置７０を接続する外部Ｉ／Ｆ（Inter Face）３８とを備える。
【００１９】
ＤＶＤドライブ２０は光ディスク（本実施の形態の場合ＤＶＤディスク３００）に記録されたデジタルコンテンツの情報を読出す装置である。ＤＶＤドライブ２０は光ディスクにデジタルコンテンツの情報を記録する装置でもある。
【００２０】
ＨＤ装置２２は、ユーザ所望のデジタルコンテンツの信号をハードディスク４２に記録し、その記録したデジタルコンテンツの信号を読出す装置である。ここで、ハードディスク４２に記録される信号としては、たとえばＭＰＥＧ２規格に準拠する映像ファイルやＭＰ３（MPEG-1 Audio Layer3）規格に準拠する音声ファイルなどが挙げられる。また、ＨＤ装置２２には、制御部３６の動作プログラムが格納される。
【００２１】
ＨＤ装置２２は、記録媒体（本実施の形態の場合ハードディスク４２）が記録した番組を構成する情報のいずれかを読出す読出しヘッド４４と、放送信号とチャプタ（放送信号を受信した期間の境界）を表わす情報とを記録媒体に記録する記録ヘッド４６とを含む。
【００２２】
チューナ２４は、自らに接続された外部端子４０が放送信号（外部端子４０が受付ける放送信号は、アンテナ６０が受信した、放送局から発信されるデジタルコンテンツの信号である）を受付けると、制御部３６により指定されるチャンネルの放送信号（デジタルコンテンツの信号）を抽出して出力する装置である。これにより、チューナ２４は、アンテナ６０が受信した放送のいずれかを選局することとなる。
【００２３】
ＭＰＥＧコーデックエンジン２６は、ＤＶＤドライブ２０により再生されたデジタルコンテンツの信号、ＨＤ装置２２が内蔵するハードディスク４２から読出されたデジタルコンテンツの信号、チューナ２４が抽出したデジタルコンテンツの信号および外部Ｉ／Ｆ３８を介して外部装置７０から入力されたデジタルコンテンツの信号のうちのいずれかが制御部３６の切換制御により与えられると、与えられたそのデジタル信号を受付け、復号（デコード）し、出力する装置である。ＭＰＥＧコーデックエンジン２６は、デジタルコンテンツの信号をＤＶＤドライブ２０やＨＤ装置２２に記録させるために、制御部３６の制御により、デジタル信号を圧縮する装置でもある。ＭＰＥＧコーデックエンジン２６が内蔵するＯＳＤ５０は制御部３６により与えられた情報に基づいて画像情報を作成し、それをモニタ装置１４の画面に可視表示するために映像出力部３０に対して出力する。
【００２４】
メモリ２８には、チューナ２４が受信可能な放送チャンネルが予めチャンネルスキャン（オートスキャン）して取得されて格納される。メモリ２８には、後述する情報の処理のためのフラグやデータも格納されている。
【００２５】
映像出力部３０は、読出しヘッド４４がハードディスク４２から読出し、かつＭＰＥＧコーデックエンジン２６が復号した映像データを出力する装置である。映像出力部３０は、映像データをモニタ装置１４が出力可能な映像信号に変換した後、映像信号をモニタ装置１４に対して出力する。映像出力部３０は、ＯＳＤ５０が作成した情報を出力する装置でもある。
【００２６】
音声出力部３２は、読出しヘッド４４がハードディスク４２から読出し、かつＭＰＥＧコーデックエンジン２６が復号した音声データを出力する装置である。音声出力部３２は、音声データをモニタ装置１４が出力可能な音声信号に変換した後、音声信号をモニタ装置１４に対して出力する。音声出力部３２は、ＯＳＤ５０が作成した情報を出力する装置でもある。
【００２７】
リモコン受信部３４は、赤外線を介してリモコン１２から発信される各種の指令信号を受信する装置である。リモコン受信部３４は、受信した指令信号を制御部３６に伝送する。
【００２８】
制御部３６は、メモリ２８に格納された動作プログラムに基づいて装置各部の制御を行なう装置である。制御部３６は、時刻を検出するために時計を内蔵する。
【００２９】
このハードディスクレコーダ１０は、コンピュータハードウェアと制御部３６により実行されるソフトウェアとにより実現される。一般的にこうしたソフトウェアは、ＤＶＤディスク３００などの記録媒体に格納されて流通し、ＤＶＤドライブ２０などにより記録媒体から読取られてハードディスク４２に一旦格納される。さらにメモリ２８に読出されて、上述した制御部３６により実行される。上述したコンピュータのハードウェア自体は一般的なものである。したがって、本発明の最も本質的な部分は、ＤＶＤディスク３００などの記録媒体に記録されたソフトウェアである。なお、コンピュータ自体の動作は周知であるので、ここではその詳細な説明は繰返さない。
【００３０】
図２を参照して、本実施の形態に係るリモコン１２について説明する。図２は、リモコン１２の外観を表わす図である。このリモコン１２は、ディスプレイ１２０２と、移動キー１２０４と、数字ボタン１２０６と、操作ボタン１２０８とを含む。このリモコン１２は、ハードディスクレコーダ１０に信号を送信する装置である。
【００３１】
移動キー１２０４は、カーソルを上に移動させる旨の指示などを受付けるための上カーソルキー１２１２と、カーソルを下に移動させる旨の指示などを受付けるための下カーソルキー１２１４と、カーソルを右に移動させる旨の指示などを受付けるための右カーソルキー１２１６と、カーソルを左に移動させる旨の指示などを受付けるための左カーソルキー１２１８と、ハードディスクレコーダ１０の設定を確定させる旨の指示や、ＤＶＤディスク３００を取出し可能にさせる旨の指示や、コンテンツの再生を停止させる旨の指示を受付けるための確定ボタン１２２０とを含む。
【００３２】
操作ボタン１２０８は、押下される回数に応じてテレビの音量を調整することができる音量ボタン１２２２と、同様に調整可能なチャンネルボタン１２２４と、ＤＶＤディスク３００などへコンテンツを録画できる録画ボタン１２２６とを含む。
【００３３】
図３および図４を参照して、ハードディスクレコーダ１０で実行されるプログラムは、録画の予約に関し、以下のような制御を実行する。
【００３４】
ステップ１００（以下、ステップをＳと略す。）にて、ＯＳＤ５０は、制御部３６の制御により、予約表の画像を表わす情報を作成する。ＯＳＤ５０は、予約表の画像を表わす情報を映像出力部３０に出力する。映像出力部３０は、予約表の画像を表わす情報をモニタ装置１４に出力する。
【００３５】
Ｓ１０２にて、リモコン受信部３４は、リモコン１２を介してユーザの操作を表わす信号を受付ける。これにより、リモコン受信部３４はユーザの指定を受付けることとなる。信号が受付けられると、リモコン受信部３４は、受付けた信号を制御部３６に出力する。
【００３６】
Ｓ１０４にて、制御部３６は、リモコン受信部３４が出力した信号に基づき、確定ボタン１２２０が押された否かを判断する。確定ボタン１２２０が押されたと判断した場合（Ｓ１０４にてＹＥＳ）、処理はＳ１０６へと移される。もしそうでないと（Ｓ１０４にてＮＯ）、処理はＳ１２８へと移される。
【００３７】
Ｓ１０６にて、制御部３６は、メモリ２８が記憶する日時フラグの値に基づき、ユーザによって指定された日時を特定する。
【００３８】
Ｓ１０８にて、制御部３６は、ユーザによって指定された日時に予約が入っているか否かを判断する。制御部３６は、メモリ２８が記憶した予約についての情報を参照することにより、予約が入っているか否かを判断する。ユーザによって指定された日時に予約が入っている場合（Ｓ１０８にてＹＥＳ）、処理はＳ１１０へと移される。もしそうでないと（Ｓ１０８にてＮＯ）、処理はＳ１１４へと移される。
【００３９】
Ｓ１１０にて、ＯＳＤ５０は、制御部３６の制御により、予約を確認するための画像の情報を作成する。
【００４０】
Ｓ１１２にて、リモコン受信部３４は、制御部３６の制御により、変更する予約の指定を受付ける。これにより、制御部３６は、録画の予約が予約の候補と矛盾する場合、録画の予約と予約の候補とのうちどちらかを表わす指定を受付けるように、リモコン受信部３４を制御することとなる。
【００４１】
Ｓ１１４にて、制御部３６は、ユーザによって指定された日時が予備群として予めメモリ２８に記憶された日時か否かを判断する。予め記憶された日時と判断した場合（Ｓ１１４にてＹＥＳ）、処理はＳ１１６へと移される。もしそうでないと（Ｓ１１４にてＮＯ）、処理はＳ１２０へと移される。
【００４２】
Ｓ１１６にて、ＯＳＤ５０は、制御部３６の制御により、予備群として指定された日時の状況を表わす画像の情報を作成する。画像の情報が作成されると、ＯＳＤ５０は、作成された情報を映像出力部３０に出力する。映像出力部３０は、ＯＳＤ５０が出力した情報をモニタ装置１４に出力する。
【００４３】
Ｓ１１８にて、制御部３６とリモコン受信部１１８とは、リモコン１２を介して、ユーザから予約などを受付ける。
【００４４】
Ｓ１２０にて、ＯＳＤ５０は、制御部３６の制御により、予約を受付けるための画像の情報を作成する。画像の情報が作成されると、ＯＳＤ５０は、作成した画像の情報を映像出力部３０に出力する。映像出力部３０は、ＯＳＤ５０が出力した情報をモニタ装置１４に出力する。
【００４５】
Ｓ１２２にて、リモコン受信部３４は、制御部３６の制御により、リモコン１２を介して予約を受付ける。
【００４６】
Ｓ１２４にて、制御部３６は、メモリ２８が記憶した変更フラグを「１」にする。
Ｓ１２８にて、制御部３６は、リモコン受信部３４が受付けた信号が日時フラグの更新の旨を表わす信号が否かを判断する。日時フラグの更新の旨を表わす信号と判断した場合（Ｓ１２８にてＹＥＳ）、処理はＳ１３０へと移される。もしそうでないと（Ｓ１２８にてＮＯ）、処理はＳ１３２へと移される。
【００４７】
Ｓ１３０にて、制御部３６は、リモコン受信部３４が出力した信号に応じて、メモリ２８が記憶した日時フラグの値を更新したり予約の有効期限を変更したりする。
【００４８】
Ｓ１３２にて、ＯＳＤ５０は、制御部３６の制御により、有効期限を更新するための画像の情報を作成する。画像が作成されると、ＯＳＤ５０は、作成した画像の情報を映像出力部３０に出力する。映像出力部３０は、ＯＳＤ５０が出力した情報をモニタ装置１４に出力する。
【００４９】
Ｓ１３４にて、制御部３６とリモコン受信部３４とは、リモコン１２を介して、ユーザの操作を表わす信号を受付ける。信号が受付けられると、制御部３６は、リモコン受信部３４が受付けた信号を、有効期限を表わす情報に変換する。制御部３６は、有効期限をあらわす情報をメモリ２８に記憶させる。
【００５０】
図５を参照して、ハードディスクレコーダ１０で実行されるプログラムは、予定の更新に関し、以下のような制御を実行する。
【００５１】
Ｓ１５０にて、ハードディスクレコーダ１０は、ＧＵＩによりユーザからの入力を受付ける。この処理は、前述したＳ１００〜Ｓ１３４の処理に該当する。
【００５２】
Ｓ１５２にて、制御部３６は、リモコン１２に対するユーザの操作により、予備群に変更があるか否かを判断する。予備群に変更があると判断した場合（Ｓ１５２にてＹＥＳ）、処理はＳ１５４へと移される。もしそうでないと（Ｓ１５２にてＮＯ）、処理はＳ１５８へと移される。
【００５３】
Ｓ１５４にて、制御部３６は、メモリ２８が記憶した情報に合致するように、メモリ２８が記憶した予定表を表わす情報の内容を更新する。これにより、制御部３６は、録画の予約が予約の候補と矛盾する場合は録画の予約と予約の候補とのうちどちらかを表わす指定に従い、録画の予約が予約の候補と矛盾する場合以外の場合は録画の予約に従い、録画の予約を表わす情報を更新することとなる。
【００５４】
Ｓ１５６にて、制御部３６は、Ｓ１００〜Ｓ１３４の処理によってメモリ２８が記憶した情報に合致するように、メモリ２８が記憶した予備群を表わす情報の内容を更新する。
【００５５】
Ｓ１５８にて、制御部３６は、メモリ２８が記憶した有効期限を表す情報を参照することにより、有効期限の変更があるか否かを判断する。有効期限の変更があると判断した場合（Ｓ１５８にてＹＥＳ）、処理はＳ１６０へと移される。もしそうでないと（Ｓ１５８にてＮＯ）、処理はＳ１６２へと移される。
【００５６】
Ｓ１６０にて、制御部３６は、メモリ２８が記憶した予定表を表わす情報のうち、有効期限の変更があったことにより影響を受ける期間内の情報を更新する。
【００５７】
Ｓ１６２にて、制御部３６は、自らが内蔵する時計を参照することにより、現在の時刻が午前０時か否かを判断する。現在の時刻が午前０時と判断した場合には（Ｓ１６２にてＹＥＳ）、処理はＳ１６０へと移される。もしそうでないと（Ｓ１６２にてＮＯ）、処理はＳ１６４へと移される。
【００５８】
Ｓ１６４にて、制御部３６は、メモリ２８が記憶した予備群の情報と現在の時刻とを比較することにより、有効期限が切れる予備群があるか否かを判断する。有効期限が切れる予備群があると判断した場合（Ｓ１６４にてＹＥＳ）、処理はＳ１５４へと移される。もしそうでないと（Ｓ１６４にてＮＯ）、処理はＳ１６６へと移される。
【００５９】
Ｓ１６６にて、制御部３６は、予約の受付を終了するか否かを判断する。予約の受付を終了すると判断した場合（Ｓ１６６にてＹＥＳ）、処理は終了する。もしそうでないと（Ｓ１６６にてＮＯ）、処理はＳ１６８へと移される。
【００６０】
Ｓ１６８にて、制御部３６は、メモリ２８が記憶した変更フラグの値を初期化（本実施の形態の場合、値を「０」とすること）する。
【００６１】
以上のような構造およびフローチャートに基づく、ハードディスクレコーダ１０の動作について説明する。
【００６２】
ＯＳＤ５０は予約表の画像を表わす情報を作成する（Ｓ１００）。図６は、ＯＳＤ５０が作成する予約表の画像の一例である。図６において、横に並ぶ数字は日付を表わす。縦に並ぶ時刻は時間帯を表わす。１つの枡目がある日のある時間帯を表わす。左下がりの斜線が引かれた枡目は、予備群が存在する時間帯であることを表わす。本実施の形態において、「予備群」とは、ユーザが録画の予約をすると予測された時間帯を意味する。本実施の形態の場合、制御部３６は、メモリ２８が記憶した、過去に受けた予約を表わす情報と、有効期限を表わす情報とに基づいて、過去に受けた予約のいずれかに対応するように、予備群を推定する。メモリ２８は、予備軍に含まれる情報も記憶する。これにより、メモリ２８は、過去に受けた予約のいずれかに対応しかつ予約の候補を表わす情報も記憶することとなる。図７は、本実施の形態における、過去１週間の予約の内容を表わす図である。図７において、横に並ぶ数字は日付を表わす。縦に並ぶ時刻は時間帯を表わす。網目模様で塗りつぶされた時間帯は、予約に応じて、録画が実施されたことを表わす。
【００６３】
画像を表わす情報が作成されると、リモコン受信部３４は、リモコン１２を介してユーザの操作を表わす信号を受付ける（Ｓ１０２）。信号が受付けられると、制御部３６は、確定ボタン１２２０が押されたか否かを判断する（Ｓ１０４）。この場合、右カーソルキー１２１６が押されたこととすると（Ｓ１０４にてＮＯ）、制御部３６は、リモコン受信部３４が受付けた信号が日時フラグの更新の旨を表わす信号か否かを判断する（Ｓ１２８）。この場合、右カーソルキー１２１６が押されている。右カーソルキー１２１６が押されたことは、図６に示す予定表の中のカーソル（図６に示す枡目のいずれかを囲む太い枠）を右に移動させる旨の指示を表わす。カーソルが右に移動すると、予約の受付や予約の変更の対象となる日時が変更される。これにより、右カーソルキー１２１６が押された結果、リモコン受信部３４が受付けた信号が日時フラグの更新の旨を表わすこととなるので（Ｓ１２８にてＹＥＳ）、制御部３６は、日時フラグを更新する（Ｓ１３０）。
【００６４】
日時フラグが更新されると、ＯＳＤ５０は予約表の画像を表わす情報を作成する（Ｓ１００）。このとき作成される画像において、カーソルは、図６に示す位置よりも「１つ」右に移動している。画像を表わす情報が作成されると、Ｓ１００〜Ｓ１３０の処理が繰返される。処理が繰返された後、制御部３６は、確定ボタン１２２０が押されたか否かを判断する（Ｓ１０４）。この場合、１３日の１９時から２０時までの時間帯にカーソルがある状態で確定ボタン１２２０が押されたこととすると（Ｓ１０４にてＹＥＳ）、制御部３６は、日時フラグの値に基づきユーザにとって指定された日時を特定する（Ｓ１０６）。日時が特定されると、制御部３６は、ユーザによって指定された日時に予約が入っているか否かを判断する（Ｓ１０８）。これにより、制御部３６は、リモコン受信部３４が受付けた指定が録画の予約についての指定の場合、録画の予約が予約の候補と矛盾するか否かを判断することとなる。この場合、指定された日時に予約が入っていないので（Ｓ１０８にてＮＯ）、制御部３６は、ユーザによって指定された日時が予備群として予め記憶された日時か否かを判断する（Ｓ１１４）。この場合、指定された日時が予備群として予め記憶された日時ではないので（Ｓ１１４にてＮＯ）、ＯＳＤ５０は、予約を受付けるための画像の情報を作成する（Ｓ１２０）。
【００６５】
画像が作成されると、リモコン受信部３４は予約を受付ける（Ｓ１２２）。予約が受付けられると、制御部３６は、変更フラグを「１」にする（Ｓ１２４）。変更フラグが「１」になると、制御部３６は、ユーザの操作により予約および予備群に変更があるか否かを判断する（Ｓ１５２）。この場合、予約および予備群に変更があるので（Ｓ１５２にてＹＥＳ）、制御部３６は、予定表を更新する（Ｓ１５４）。予定表が更新されると、制御部３６は、予備群を更新する（Ｓ１５６）。この場合、予備群を更新するための操作はなされていないので、制御部３６は、更新前の予備群と同じ内容の情報をメモリ２８に上書き記憶させる。更新前の予備群と同じ内容の情報がメモリ２８に上書き記憶されるので、予備群の内容自体は変化しない。
【００６６】
予備群が更新されると、制御部３６は、予約の受付を終了するか否かを判断する（Ｓ１６６）。この場合、予約の受付を終了しないこととすると（Ｓ１６６にてＮＯ）、制御部３６は、変更フラグを初期化する（Ｓ１６８）。変更フラグの値が初期化されると、Ｓ１００〜Ｓ１６８の処理が繰返される。
【００６７】
図８は、Ｓ１０８〜Ｓ１２２の処理が繰返された後、ＯＳＤ５０が予約を受付けるための画像の情報を作成した時点においてモニタ装置１４が表示した画像を表わす図である。図８に示す画像が表示された後、Ｓ１２４〜Ｓ１６８の処理を経て、ＯＳＤ５０は予約表の画像を表わす情報を作成する（Ｓ１００）。図９は、このときモニタ装置１４に表示される予定表の画像を表わす図である。本実施の形態の場合、既に予約を受付けた時間帯は青い色で塗りつぶされることとする。図９においては、青い色で塗りつぶされたことを右下がりの斜線で表わす。予備群に含まれる時間帯は、黄色で塗りつぶされることとする。本実施の形態の場合、左下がりの斜線でこのことを表わす。既に予約を受付けかつ予備群に含まれる時間帯のうち、受付けた予約の内容と予備群の内容とが矛盾する場合、予約と予備群とが重複する時間帯は、赤色で塗りつぶされる。本実施の形態の場合、網目模様の斜線でこれを表す。図９に示す色分けは、ＯＳＤ５０が、制御部３６の制御により、録画の予約の有無と予約の候補とをそれぞれ異なる色で表わしたカレンダの画像の情報を作成することで実現される。
【００６８】
画像を表わす情報が作成されると、リモコン受信部３４は、リモコン１２を介してユーザの指定を表わす信号を受付ける（Ｓ１０２）。この場合、１３日の２２時から２３時までの時間帯にカーソルが移動され、かつ確定ボタン１２２０が押されたこととする。制御部３６は、確定ボタン１２２０が押されたと判断するので（Ｓ１０４にてＹＥＳ）、Ｓ１０６〜Ｓ１０８の処理を経て、制御部３６は、ユーザによって指定された日時が予備群として予め記憶された日時が否かを判断する（Ｓ１１４）。この場合、指定された日時が予備群として予め記憶された日時なので（Ｓ１１４にてＹＥＳ）、ＯＳＤ５０は予備群として指定された日時の状況を表わす画像の情報を作成する（Ｓ１１６）。図１０は、ＯＳＤ５０が作成し、モニタ装置１４が表示した画像を表わす図である。ユーザは、リモコン１２を操作することにより、時間帯を表わす欄と予約の状況を表わす欄（図１０において「保留」または「予約」と表示されている欄）との間で、カーソルを移動させることができる。画像の情報が作成されると、制御部３６とリモコン受信部３４とは予約などを受付ける（Ｓ１１８）。本実施の形態の場合、時間帯を表わす欄にカーソルがある状態で確定ボタン１２２０が押されると、ユーザはカーソルがある欄の数値を変更できる。数値を変更するためには、ユーザがリモコン１２の数字ボタン１２０６を操作する必要がある。カーソルが予約の状況を表わす欄にある場合、ユーザは、リモコン１２の右カーソルキー１２１６および左カーソルキー１２１８のいずれかを操作することにより、予約の状況を、「予約」、「保留」、および「消去」のいずれかに変更することができる。予約の状況を確定されるためには、「予約」、「保留」、および「消去」のうちユーザが希望する状況を表示させた後、確定ボタン１２２０を押せばよい。「予約」、「保留」、および「消去」のいずれかに表示を変更するための処理は、制御部３６が、リモコン１２から受信した信号に基づき、ＯＳＤ５０に「予約」、「保留」、および「消去」のいずれかを表わす画像を作成させることにより実現する。制御部３６とリモコン受信部３４とが予約を受付けた場合、メモリ２８は、録画の予約を表わす情報を記憶する。
【００６９】
予約が受付けられると、Ｓ１２４〜Ｓ１１４の処理を経て、ＯＳＤ５０は予約を受付けるための画像の情報を作成する（Ｓ１２０）。この場合、１２日の２０時から２１時の時間帯にカーソルがある状態で確定ボタン１２２０が押されたこととする。図１１は、この時点でモニタ装置１４に表示される画像を表わす図である。図１１において、「新規」、「変更」、および「取消し」というアイコンが表示されている。本実施の形態の場合、これらのアイコンにカーソルを移動させることが可能である。アイコンにカーソルを移動させるためには、上カーソルキー１２１２および下カーソルキー１２１４のいずれかを操作する。カーソルが表示されるアイコンを変更するためには、右カーソルキー１２１６および左カーソルキー１２１８のいずれかを操作することとする。ユーザが移動キー１２０４を押すたびに、ＯＳＤ５０は、制御部３６の制御により、新たな画像の情報を作成し、映像出力部３０を介してモニタ装置１４に出力する。これにより、ユーザには、カーソルが移動しているように見える。アイコンのいずれかが選択され、そのまま確定ボタン１２２０が押されると、ＯＳＤ５０が新たな画像の情報を作成した後、リモコン受信部３４が信号を受付けることにより、アイコンに応じた予約を受付ける（Ｓ１２２）。新たに受付けられた予約が既に受付け済みの予約と重複する場合、既に受付け済みの予約は取消される。
【００７０】
予約が受付けられると、Ｓ１２４〜Ｓ１５６の処理を経て、制御部３６は予約の受付けを終了するか否かを判断する（Ｓ１６６）。この場合、予約の受付を終了することとすると（Ｓ１６６にてＹＥＳ）、制御部３６は、予約の受付を終了する。
【００７１】
その後、アンテナ６０は、放送を受信する。チューナ２４は、制御部３６の制御により、メモリ２８が記憶した録画の予約を表わす情報および時計（制御部３６が内蔵する時計）が検出した時刻に基づいて、アンテナ６０が受信し、外部端子４０が受付けた放送信号のいずれかを選局する。ＨＤ装置２２は、制御部３６の制御により、チューナ２４が選局した放送を録画する。
【００７２】
以上のようにして、本実施の形態に係るハードディスクレコーダは、ユーザの録画傾向をもとに、予備群を作成し、ＯＳＤにより作成された画像を介して録画の予約を受付ける。予め予備群が作成されるので、面倒な予約の手続や予約の内容の誤入力を極力回避できる。予約のための時間を短縮することもできる。時間が短縮されるので、ユーザの予約は減少する。本実施の形態に係るハードディスクレコーダは、ブッキング（予約が重複すること）の可能性がある時間帯を明示する。本実施の形態に係るハードディスクレコーダは、ブッキングの可能性がある時間帯について、予約の選択を促す。これにより、予約時のユーザの指定により、ユーザが最も録画したかったコンテンツの録画ができなくなる可能性を低くすることができる。その結果、ユーザが録画を希望するコンテンツを的確に録画する録画装置、録画プログラム、および録画プログラムを記録したコンピュータ読取り可能な記録媒体を提供することができる。
【００７３】
なお、ハードディスクレコーダ１０は、予約を受付けた後、ＨＤ装置２２に代えて、ＤＶＤドライブ２０が光ディスクに対し、録画を実施してもよい。この場合、ＤＶＤドライブ２０が録画する装置となる。ハードディスクレコーダ１０がＶＣＲ（Video Cassette Recorder）記録部を備える場合、ＨＤ装置２２に代えて、ＶＣＲ書込装置が録画を実施してもよい。
【００７４】
また、図９に示す画像の情報を作成することに代えて、ＯＳＤ５０は、制御部３６の制御により、録画の予約の有無と予約の候補とをそれぞれ異なる形態で表わす（たとえば、既に予約を受付けた時間帯、予備群に含まれる時間帯、および受付けた予約の内容と予備群の内容とが矛盾する時間帯が、それぞれ異なる模様で塗りつぶされるような）画像の情報を作成してもよい。
【００７５】
また、図９に示す画像の情報を作成することに代えて、音声出力部３２は、制御部３６の制御により、たとえば音声により録画の予約の有無と予約の候補とを表わす情報を作成してもよい。その場合、音声出力部３２が、音声を表わす情報を作成できることが前提となる。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】本発明の実施の形態に係るハードディスクレコーダの制御ブロック図である。
【図２】本発明の実施の形態に係るリモコンの外観図である。
【図３】本発明の実施の形態に係る録画の予約処理の制御の手順を表わす第１のフローチャートである。
【図４】本発明の実施の形態に係る録画の予約処理の制御の手順を表わす第２のフローチャートである。
【図５】本発明の実施の形態に係るハードディスクレコーダの予定の更新処理の制御の手順を表わすフローチャートである。
【図６】本発明の実施の形態に係るＯＳＤが作成しモニタ装置が表示した予定表の第１の画像を表わす図である。
【図７】本発明の実施の形態に係るハードディスクレコーダが過去１週間に実施した録画の内容を表わす図である。
【図８】本発明の実施の形態に係るＯＳＤが作成しモニタ装置が表示した受付済の予約の内容を表わす画面の図である。
【図９】本発明の実施の形態に係るＯＳＤが作成しモニタ装置が表示した予定表の第２の画像を表わす図である。
【図１０】本発明の実施の形態に係るＯＳＤが作成しモニタ装置が表示した予備群の内容を表わす図である。
【図１１】本発明の実施の形態に係るＯＳＤが作成しモニタ装置が表示した既に受付済の予約の内容を表わす図である。
【符号の説明】
【００７８】
１０  ハードディスクレコーダ、１２  リモコン、１４  モニタ装置、２０  ＤＶＤドライブ、２２  ＨＤ装置、２４  チューナ、２６  ＭＰＥＧコーデックエンジン、２８  メモリ、３０  映像出力部、３２  音声出力部、３４  リモコン受信部、３６  制御部、３８  外部Ｉ／Ｆ、４０  外部端子、４２  ハードディスク、４４  読出しヘッド、４６  記録ヘッド、５０  ＯＳＤ、６０  アンテナ、７０  外部装置、３００  ＤＶＤディスク、１２０２  ディスプレイ、１２０４  移動キー、１２０６  数字ボタン、１２０８  操作ボタン、１２１２  上カーソルキー、１２１４  下カーソルキー、１２１６  右カーソルキー、１２１８  左カーソルキー、１２２０  確定ボタン、１２２２  音量ボタン、１２２４  チャンネルボタン、１２２６  録画ボタン。
【図１】
2006345167.tif 000003
【図２】
2006345167.tif 000004
【図３】
2006345167.tif 000005
【図４】
2006345167.tif 000006
【図５】
2006345167.tif 000007
【図６】
2006345167.tif 000008
【図７】
2006345167.tif 000009
【図８】
2006345167.tif 000010
【図９】
2006345167.tif 000011
【図１０】
2006345167.tif 000012
【図１１】
2006345167.tif 000013